(57)【要約】【課題】同じ周波数帯域を共用している移動局及び基地局間で、簡易な構成で送信と受信を同時に行うことができる移動局または基地局に搭載されるマルチキャリア変調方式による通信装置を提供する。【解決手段】 それぞれのサブキャリアがデータで変調された複数サブキャリアで同時に通信するマルチキャリア変調方式による通信装置において、前記複数サブキャリアの一部のサブキャリアをデータで変調し、それ以外のサブキャリアをデータで変調をせずに受信帯域として、複数サブキャリアでデータ送信する送信部を有する。【選択図】図４
2007295219.tif 000002
【特許請求の範囲】
【請求項１】
それぞれのサブキャリアがデータで変調された複数サブキャリアで同時に通信するマルチキャリア変調方式による通信装置において、
前記複数サブキャリアの一部のサブキャリアをデータで変調し、それ以外のサブキャリアをデータで変調をせずに受信帯域として、複数サブキャリアでデータ送信する送信部を有することを特徴とするマルチキャリア変調方式による通信装置。
【請求項２】
それぞれのサブキャリアがデータで変調された複数サブキャリアで相手側の通信装置と同時に通信するマルチキャリア変調方式による通信装置において、
前記通信装置が前記相手側の通信装置からはなれたエリアに位置する場合、前記複数サブキャリアをデータで変調して送信し、
前記移動体通信装置が前記相手側の通信装置から近いエリアに位置する場合、前記複数サブキャリアの一部をデータで変調され、それ以外のサブキャリアがデータで変調をせず相手側の通信装置からのデータを受信する帯域に設定して、複数サブキャリアでデータを送信する送信部とを有することを特徴とするマルチキャリア変調方式による通信装置。
【請求項３】
請求項１記載の前記送信部に、さらに前記複数サブキャリア以外に、カードバンドを付加して送信する付加部と、受信した信号に付加されたガードバンドを除去する除去部とを設けたことを特徴とするマルチキャリア変調方式による通信装置。
【請求項４】
請求項１記載の前記送信部に、さらにデータを送信する複数サブキャリアのみを通過するように、通過帯域を動的に変更可能なアクティブフィルタを設けたことを特徴とするマルチキャリア変調方式による通信装置。
【請求項５】
請求項１記載の前記データで変調されるサブキャリア以外のサブキャリアをヌルで変調することを特徴とするマルチキャリア変調方式による通信装置。
【請求項６】
請求項１記載の前記複数サブキャリアのうち、前記一部のサブキャリア及びそれ以外のサブキャリアとするかを、受信される制御情報に基づいて、選択して設定をすることを特徴とするマルチキャリア変調方式による通信装置。
【請求項７】
実数及び虚数ともに０であるヌル信号を送信データに挿入する挿入部と、
該ヌル信号を含む送信データに対して直列並列変換を行い、並列の送信データとして出力する直列並列変換手段と、
該並列の送信データそれぞれに対してサブキャリア変調を行うサブキャリア変調手段と、
複数のサブキャリア変調手段からの入力されたサブキャリア変調信号をマルチキャリア変調して、マルチキャリア変調信号として出力するマルチキャリア変調手段と、
該マルチキャリア変調信号にガードインターバルを付加する付加手段とを備え、
該挿入部では、外部から周波数割り当てに関する制御情報に基づいて、挿入すべき該ヌル信号数および挿入位置を決定し、送信データにヌル信号を挿入することを特徴とするマルチキャリア変調方式による通信装置。
【請求項８】
実数及び虚数ともに０であるヌル信号を送信データに挿入する挿入部と、
該ヌル信号を含む送信データに対して直列並列変換を行い、並列の送信データとして出力する直列並列変換手段と、
該並列の送信データそれぞれに対してサブキャリア変調を行うサブキャリア変調手段と、
複数のサブキャリア変調手段からの入力されたサブキャリア変調信号をマルチキャリア変調して、マルチキャリア変調信号として出力するマルチキャリア変調手段と、
該マルチキャリア変調信号にガードインターバルを付加する付加手段と、
該マルチキャリア変調手段の変調に使用すべき処理サイズを、外部から周波数割り当てに関する制御情報に基づいて、変更するサイズ変更手段とを有することを特徴とするマルチキャリア変調方式による通信装置。
【発明の詳細な説明】
【技術分野】
【０００１】
本発明は、複数のサブキャリアを利用した双方向通信におけるマルチキャリア変調方式による通信装置に関し、他の通信装置、たとえば基地局または移動局からの干渉を回避、または自局の送信信号の受信側への回り込みを防ぐことで同時送受信可能となるマルチキャリア変調方式による通信装置に関する。
【背景技術】
【０００２】
近年、携帯電話等の移動体との間で通信を行う移動体通信が各種実用化されていた、従来の移動体通信は、基本的には固定局間で通信を行う場合と同じ通信方式であった。
【０００３】
たとえば、図１には、複数の移動体と固定局間で送受信する周波数領域と時間領域での問題がない場合の使用例について示している。図１（ａ）には、移動体は一回の送信で全周波数帯域を使用して他の移動体及び固定局とデータ通信をすることが示されており、横軸ｆは周波数を、縦軸Powは各サブキャリアの電力を示す。図１（ｂ）には、各移動体または固定局で、時間領域で送信タイミングが同時にならないように送信タイミングをずらしていることが示されており、縦軸ｔは時間を、縦軸Powは各サブキャリアの電力を示す。
【０００４】
要するには、図１の（ｂ）では、複数の移動体及び固定局で同時に送信すると送信データ同士が混信してデータ受信できなくなるので、ある移動体では、送信タイミングとして、Ａというタイミングでデータを送信し、他の移動体または固定局はある移動体が送信タイミングＡで送信していることをキャリアセンスにより検出して送信タイミングをずらして別のタイミングＢで送信することが示されている。
【０００５】
図２には、図１で説明した周波数領域を用いて、複数の移動体と固定局間で送受信する時間領域での問題がある場合の使用例について示している。図２（ａ）は、周波数領域での使用は図１（a）と同じであるので説明を省略する。図２（ｂ）は、他の移動体または固定局はある移動局からの送信タイミングＡでの送信をキャリアセンスできずに、送信タイミングＡと同じ時間となる送信タイミングＢで送信して結果、送信タイミングＡと重なったことを示している。このことにより、ある移動体は他の移動体または固定局データからの重要なデータを受信できなくなる。
【０００６】
また、特許文献１には、上記図２のような他の移動局または固定局からの送信による干渉を回避するマルチキャリア変調方式用送信回路が提案されている。
【特許文献１】特開２００１−２８５２３６号公報 ここで、上記特許文献１に記載された送信回路について図３を用いて説明する。
【０００７】
図３において入力信号ｓ１０１は16QAM変調回路１０１に入力され変調信号ｓ１０２を得る。変調信号ｓ１０２は直列並列変換回路１０２に入力されサブキャリア変調信号ｓ１０３を出力する。ヌル信号生成回路１０３では、Ich、Qchともに０の値を持つヌル信号ｓ１０４を出力する。各サブキャリアごとに分けられたサブキャリア変調信号ｓ１０３と、ヌル信号ｓ１０４はIFFT回路１０４に入力されOFDM変調が行われOFDM信号ｓ１０５が出
力される。ここで、ヌル信号はIF段以上での送信スペクトルの折り返しを避けるために送信帯域幅の帯域両端部に相当するIFFTポイント、かつ共用を図る他システムの帯域に相当するポイントに入力される。
【０００８】
以上、IFFT回路１０４が、マルチキャリア変調手段に対応している。OFDM信号ｓ１０５は並列直列変換回路１０５に入力がなされ、並列直列変換回路１０５の読み出し順序を制御するガードインターバル付加制御回路１３０の出力信号である制御信号ｓ１０６も併せて入力され、並列直列変換回路１０５の読み出し順番を操作し、IFFT回路１０４の出力信号の一部分を繰り返して読み出したガードインターバルをOFDM信号に付加してOFDMシンボルを生成し、送信信号ｓ１０７として出力される。
【発明の開示】
【発明が解決しようとする課題】
【０００９】
しかしながら、上記特許文献１で提案されている技術では、特定のサブキャリアをヌルとしているだけで、送信しながら同時に希望とする信号を受信することを考慮していない。そのため、上記特許文献１では、自身の送信するサブキャリアのサイドローブ成分がヌルとしたサブキャリアでの受信すべき受信信号を抑圧してしまうという問題があります。
【００１０】
本発明は、上記課題に鑑み創案されたもので、同じ周波数帯域を共用している移動局及び基地局間で、簡易な構成で送信と受信を同時に行うことができる移動局または基地局に搭載されるマルチキャリア変調方式による通信装置を提供することを目的とする。
【課題を解決するための手段】
【００１１】
上記目的を達成するために、本発明の第１の側面では、それぞれのサブキャリアがデータで変調された複数サブキャリアで同時に通信するマルチキャリア変調方式による通信装置において、前記複数サブキャリアの一部のサブキャリアをデータで変調し、それ以外のサブキャリアをデータで変調をせずに受信帯域として、複数サブキャリアでデータ送信する送信部を有するマルチキャリア変調方式による通信装置を用いる。
【００１２】
本発明の第２の側面では、それぞれのサブキャリアがデータで変調された複数サブキャリアで相手側の通信装置と同時に通信するマルチキャリア変調方式による通信装置において、前記通信装置が前記相手側の通信装置からはなれたエリアに位置する場合、前記複数サブキャリアをデータで変調して送信し、前記移動体通信装置が前記相手側の通信装置から近いエリアに位置する場合、前記複数サブキャリアの一部がデータで変調され、それ以外のサブキャリアをデータで変調をせず相手側の通信装置からのデータを受信する帯域に設定して、複数サブキャリアでデータを送信する送信部とを有するマルチキャリア変調方式による通信装置を用いる。
【００１３】
本発明の第３の側面では、前記送信部に、さらに前記複数サブキャリア以外に、カードバンドを付加して送信する付加部と、受信した信号に付加されたガードバンドを除去する除去部とを設けたマルチキャリア変調方式による通信装置を用いる。
【００１４】
本発明の第４の側面では、前記送信部に、さらにデータを送信する複数サブキャリアのみを通過するように、通過帯域を動的に変更可能なアクティブフィルタを設けたマルチキャリア変調方式による通信装置を用いる。
【００１５】
本発明の第５の側面では、前記データで変調されるサブキャリア以外のサブキャリアをヌルで変調するマルチキャリア変調方式による通信装置を用いる。
【００１６】
本発明の第６の側面では、前記複数サブキャリアのうち、前記一部のサブキャリア及びそれ以外のサブキャリアとするかを、受信される制御情報に基づいて、選択して設定をするマルチキャリア変調方式による通信装置を用いる。
【００１７】
本発明の第７の側面では、実数及び虚数ともに０であるヌル信号を送信データに挿入する挿入部と、該ヌル信号を含む送信データに対して直列並列変換を行い、並列の送信データとして出力する直列並列変換手段と、該並列の送信データそれぞれに対してサブキャリア変調を行うサブキャリア変調手段と、複数のサブキャリア変調手段からの入力されたサブキャリア変調信号をマルチキャリア変調して、マルチキャリア変調信号として出力するマルチキャリア変調手段と、該マルチキャリア変調信号にガードインターバルを付加する付加手段とを備え、該挿入部では、外部から周波数割り当てに関する制御情報に基づいて、挿入すべき該ヌル信号数および挿入位置を決定し、送信データにヌル信号を挿入するマルチキャリア変調方式による通信装置を用いる。
【００１８】
本発明の第８の側面では、実数及び虚数ともに０であるヌル信号を送信データに挿入する挿入部と、該ヌル信号を含む送信データに対して直列並列変換を行い、並列の送信データとして出力する直列並列変換手段と、該並列の送信データそれぞれに対してサブキャリア変調を行うサブキャリア変調手段と、複数のサブキャリア変調手段からの入力されたサブキャリア変調信号をマルチキャリア変調して、マルチキャリア変調信号として出力するマルチキャリア変調手段と、該マルチキャリア変調信号にガードインターバルを付加する付加手段と、該マルチキャリア変調手段の変調に使用すべき処理サイズを、外部から周波数割り当てに関する制御情報に基づいて、変更するサイズ変更手段とを有するマルチキャリア変調方式による通信装置を用いる。
【発明の効果】
【００１９】
本発明の通信装置では、以上のような構成を取ることで、マルチキャリア変調方式において同時に送信と受信を行い、送信によるサブキャリアのサイドロープ成分によって自局又は他局への希望受信信号を抑圧することがなく、自局又は他局で良好な受信特性が得ることが可能となります。
【発明を実施するための最良の形態】
【００２０】
以下、図面を参照して本発明の実施の形態について説明する。しかしながら、かかる実施の形態例が、本発明の技術的範囲を限定するものではない。
本発明の実施の形態例では、マルチキャリア変調方式による通信装置について以下のとおり説明する。
図４は、本発明の通信方式の原理を示す図である。
図４（ａ）のＣは、本発明のマルチキャリア変調方式による通信装置における周波数領域での自身が送信に使用する帯域を示す。図４（ａ）のＤは、受信している帯域を示す。
図４（ｂ）のＡは、本発明のマルチキャリア変調方式による通信装置における時間領域での自身の送信タイミングを示す。図４（ｂ）のＢは他の移動体または基地局からの送信タイミングを示す。この通信装置は、周波数帯域を送信用と受信用にサブキャリアを割り当ているので、自身による送信信号の受信部への回り込みを防げ、他の通信装置の送信タイミングを考慮しないで送信できることを特徴としている。
次に、本発明の通信方式を利用したマルチキャリア変調方式による通信装置の詳細な構成例を説明する。
図５は、本発明の第１の実施形態を示すマルチキャリア変調方式による通信装置の構成例を示す。通信装置は大きく分けて送信部１、共通部２及び受信部３からなる。送信部１は、ＢＢCoding１１、シリアルパラレル（直列並列）変換するＳ/Ｐ変換部１２、変調部（MOD）１３、ＩＦＦＴ１４、ガードインターバル付加部１５（+GI）、アクティブフィルタ(Active Filter)１６、周波数変換回路１７、局部発振器１８及びバンドパスフィルタ(BPF)１９からなる。
共通部２は、ヌル制御部２１、バンド制御部２２、サーキュレータ２３及びアンテナ２４からなる。
受信部３は、受信信号が通過する順番でバンドパスフィルタ(BPF)３９、局部発振器３８、周波数変換回路３７、アクティブフィルタ(Active Filter)３６、ガードインターバル除去部(-GI)３５、ＦＦＴ３４、復調部３３、パラレルシリアル（並列直列）変換するＰ／Ｓ変換部３２、ＢＢDecoding３１からなる。
上記通信装置の各部の処理について、以下に説明する。
ＢＢCoding１１は、シンボル単位の送信データにヌル制御部２１からの制御信号によって、ヌルシンボルを挿入して、ヌルシンボルを含む送信データを符号化データとしてＳ/Ｐ変換部１２へ出力する。このヌルシンボルは、実数成分と虚数成分とも０の信号で構成されたシンボルを示している。Ｓ/Ｐ変換部１２は、符号化データをパラレル変換して、各変調部１３へ出力する。変調部１３は、Ｓ/Ｐ変換部１２からのパラレル変換された各サブキャリアのデータを多値変調して、サブキャリア変調データをＩＦＦＴ１４へ出力する。ＩＦＦＴ１４は、サブキャリア変調データを逆フーリエ変換によるＯＦＤＭ変調されたＯＦＤＭ信号を出力する。ガードインターバル付加部１５は、ＯＦＤＭ信号の一部を繰り返したガードインターバルをＯＦＤＭ信号に付加して生成されたＯＦＤＭシンボルをアクティブフィルタ１６に出力する。アクティブフィルタ１６は、バンド制御部２２からの制御信号により、ＯＦＤＭシンボルのサブキャリアによるサイドローブをカットしたＯＦＤＭシンボルを周波数変換回路１７に出力する。周波数変換回路１７は、アクティブフィルタ１６の出力を局部発振器１８の局部発振信号により、アップコンバートする。バンドパスフィルタ１９は周波数変換回路１７からの出力を所定帯域にフィルタリングして、サーキュレータ２３へ出力する。アンテナ２４は、サーキュレータ２３からの出力信号を電磁波として送信される。バンドパスフィルタ３９は、アンテナ２４、サーキュレータ２３を介して得られた受信信号を所定帯域の受信信号として、周波数変換回路３７へ出力する。周波数変換回路３７は、受信信号を局部発振器３８からの局部発振信号によって、ダウンコンバートして、アクティブフィルタ３６へ出力する。アクティブフィルタ３６は、バンド制御部２２からの制御信号により、受信帯域のＯＦＤＭシンボルのサブキャリアによるサイドローブをカットしたＯＦＤＭシンボルをガードインターバル除去部３５へ出力する。ガードインターバル除去部３５は、ＯＦＤＭシンボルのガードインターバルを除去して、ＦＦＴ３４へ出力する。ＦＴＴ３４はガードインターバルが除去されたＯＦＤＭシンボルをフーリェ変換により周波数変換されたサブキャリア変調シンボルを復調部３３へ出力する。復調部３３は多値変調されているサブキャリア変調シンボルを復調して、ベースバンドのシンボルとしてＰ／Ｓ変換部３２へ出力する。Ｐ／Ｓ変換部３２は複数の復調部３３からの復調されたパラレルのベースバンドシンボルをシリアル変換して、ＢＢDecoding３１へ出力する。ＢＢDecoding３１は、ヌル制御部２１からの制御信号によって、挿入されているヌルシンボルを除去して、受信データとして出力する。
ヌル制御部２１は、バンドシェア制御コマンド（Band-share Control Command）によりヌルシンボルの挿入、除去する部分を指定するコマンドである。バンド制御部２２は、バンドシェア制御コマンド（Band-share Control Command）により送受信用のサブキャリアを指定するコマンドである。そのコマンドの受信例について、図６を用いて説明する。
まず、コマンド受信部４１はアンテナ４０を介して受信した受信信号からバンドシェア制御信号をエンコーダ４２へ出力する。そのバンドシェア制御信号は、送信周波数fa〜fbで、受信周波数ｆｃ〜ｆｄというソース情報（マクロコマンド）である。エンコーダ４２は、バンドシェア制御信号をバンドシェア制御コマンドのコード情報として出力する。バンドシェア制御コマンドは、送信用のサブキャリア番号＃０〜＃１５と受信用サブキャリア番号＃１６〜＃３１と指定するコード化情報（コンクリートコマンド）である。
図７は、ＢＢcoding、ＢＢDecoding及びヌル制御部の詳細構成例を示す。
たとえば、図７では、送信データ（Transmit Data）を８シンボルで構成され、１シンボルが１サブキャリアに対応し、かつ送受信帯域として、最大８サブキャリアとなっている例を示す。
ＢＢcoding１１内のブランクシンボル挿入回路１１１(BLANK SYMBOL INSERTION CIRUIT)は、８シンボル分の送信データが入力され、ヌル制御部２１内のブランクシンボル位置生成部(BLANK SYMBOL POSITION GENERATOR)２１２からのブランクシンボル位置情報に基づいて、送信データの番号０〜３のシンボル後に、４シンボル分の連続するヌルシンボルを挿入して、コード化データとして出力する。ブランクシンボル位置生成部２１２はバンドシェア制御コマンドをデコーダ２１１でデコードされた情報により、ヌルシンボルを挿入する位置及び除去する位置示す制御信号を生成し、ブランクシンボル挿入回路１１１及びブランクシンボル除去回路３１１へ供給する。ＢＢDecoding３１内のブランクシンボル除去回路(BLANK SYMBOL REMOVING CIRCUIT)３１１は、受信データ(Received DATA)の番号０〜３のシンボルと番号４〜７のシンボル間のヌルシンボルを除去して、デコードデータ(Decoded DATA)として出力する。
図８は、アクティブフィルタ及びバンド制御部の詳細構成例を示す。
【００２１】
ここでは、アクティブフィルタ１６へ入力する入力信号として、通常フル帯域を８サブキャリアとし、送信用として使用している。また、通常でない場合、例えばあるエリアに近づいた場合、この８サブキャリアを送受信共用とする場合に、送信用として４サブキャリアを使用して送信し、残りの４サブキャリアを受信用として送受信を同時に行うことを想定して例である。通常は、たとえば、移動体が別の移動体へフル帯域で通信している場合である。また、通常でない場合は、移動体が基地局に近づいて、その移動体が別の移動局へフル帯域での送信から、フル帯域の半分での送信に切り替え、同時に残りの半分の帯域で、基地局からの信号を常に受信する場合を想定している。
【００２２】
アクティブフィルタ１６（送信側）へ入力する入力信号は、４サブキャリアを送信用として使用している場合であり、それ以外の４サブキャリアを送信用のサブキャリアによるサイドローブまたはノイズを表している。その入力信号は、いずれのサブキャリアも同じ振幅でなく、サイドローブまたはノイズを表している右側の４サブキャリアの振幅が送信用として用いる左側４サブキャリアよりも小さい。このサイドローブまたはノイズをあらわしている右側の４サブキャリアは、アクティブフィルタ１６（送信側）によって除去される。
【００２３】
アクティブフィルタ１６（送信側）は、入力信号（ここでは８サブキャリア）を、遅延線１６１と複数のタップ１６２と加算器１６３で波形等化して、必要なサブキャリア（ここでは、左側の４サブキャリアが必要なサブキャリアである）に制限して出力信号として出力する。このタップ１６２は、バンド制御部２２の重み付け係数生成部２２２からの複数の重み付け係数により制御される。
アクティブフィルタ３６（受信側）は、フル帯域を使用している場合の入力信号（ここでは８サブキャリア）を、遅延線３６２と複数のタップ３６１と加算器３６３で波形等化して、必要なサブキャリアに制限して出力信号として出力する。また、重み付け係数生成部２２２は、ＤＥＣＯＤＥＲ２２１でバンドシェア制御コメンドをデコードして得られた値に基づいて、テーブルに格納されている送信用及び受信用の重み付け係数値を読み出し、それぞれのタップ１６２、３６１を制御する。
前述した例以外の場合も考えられる。それは、この例のような周波数領域で送受信共用でなく、時間的分けて、送信と受信を行うものである。
この場合は、アクティブフィルタ１６及び３６が波形等化による帯域制限しないように、タップ１６２及び３６１に同じ値設定するように制御する。
図９は、本発明の第２の実施形態を示すマルチキャリア変調方式による通信装置の構成例を示す。この構成例は、図５の構成例を同じ構成に同じ符号を付与しており、動作処理が同じであるので、同じ符号が付与している構成の動作処理について説明を省略し、異なる構成のみ説明する。
第２の実施形態を示す通信装置の構成例は、第１の実施形態を示す通信装置の構成例にない、ＩＦＦＴ／ＦＦＴサイズ制御部２５を追加している。
このＩＦＦＴ／ＦＦＴサイズ制御部２５は、バンドシェア制御コマンドを受けて、ＩＦＦＴ１４及びＦＦＴ３４のサンプルサイズを変更する。たとえば、２５６サンプルサイズを１２８サンプルサイズの半分に変更するとかその逆もありうる。
本発明のＩＦＦＴ／ＦＦＴサイズ制御部の詳細構成例については、図１０に示す。
図１０の詳細構成例について、以下に動作説明する。
スイッチング信号生成部２５２は、ＤＥＣＯＤＥＲ２５１でバンドシェア制御コマンドをデコードして得られた値に基づいて、テーブルに格納されたＩＦＦＴ用スイッチング信号を読み出して、制御線２５３を介してＩＦＦＴ１４へ出力する。また同時に、スイッチング信号生成部２５２は、ＤＥＣＯＤＥＲ２５１でバンドシェア制御コマンドをデコードして得られた値に基づいて、テーブルに格納されたＦＦＴ用スイッチング信号を読み出して、制御線２５４を介してＦＦＴ３４（FFT MODULE）へ出力する。ＩＦＦＴ１４は、ＩＦＦＴ用スイッチング信号によってスイッチ１４２がＯＮ／ＯＦＦされ、ＯＮされたスイッチ１４２からのパラレル入力信号をＩＦＦＴモジュール１４１(IFFT MODULE)で受信して、ＯＦＤＭ信号を出力する。
ＦＦＴ３４は、受信されたシリアル信号を周波数変換して、受信ＦＦＴ用スイッチング信号によってＯＮされたスイッチ３４２のみ周波数変換された信号を出力する。
従って、以上で本発明のマルチキャリア変調方式による通信装置を説明したが、説明した通信装置以外の別の変形または変更が可能であることが考えられる。
【図面の簡単な説明】
【００２４】
【図１】複数の移動体と固定局間で送受信する周波数領域と時間領域での問題がない場合の使用例である。
【図２】複数の移動体と固定局間で送受信する周波数領域と時間領域での問題がある場合の使用例である。
【図３】従来のマルチサブキャリア変調方式用送信回路の構成を示すブロック図である。
【図４】本発明の通信方式の原理を示す図である。
【図５】本発明の第１の実施形態を示すマルチキャリア変調方式による通信装置の構成例である。
【図６】コマンドの受信例を示す図である。
【図７】ＢＢcoding、ＢＢdecoding及びヌル制御部の詳細構成例を示す図である。
【図８】アクティブフィルタ及びバンド制御部の詳細構成例を示す図である。
【図９】本発明の第２の実施形態を示すマルチキャリア変調方式による通信装置の構成例を示す図である。
【図１０】本発明のＩＦＦＴ／ＦＦＴサイズ制御部の詳細構成例を示す図である。
【符号の説明】
【００２５】
１                   送信部
２                   共通部
３                   受信部
１１                 ＢＢcoding
１２                 Ｓ/Ｐ変換部
１３                 変調部
１４                 ＩＦＦＴ
１５                 ガードインターバル付加部
１６                 アクティブフィルタ（送信用）
１７                 周波数変換回路
１８                 局部発振器
１９                 バンドパスフィルタ
２１                 ヌル制御部
２２                 バンド制御部
２３                 サーキュレータ
２４                 アンテナ
２５                 ＩＦＦＴ／ＦＦＴサイズ制御部
【図１】
2007295219.tif 000003
【図２】
2007295219.tif 000004
【図３】
2007295219.tif 000005
【図４】
2007295219.tif 000006
【図５】
2007295219.tif 000007
【図６】
2007295219.tif 000008
【図７】
2007295219.tif 000009
【図８】
2007295219.tif 000010
【図９】
2007295219.tif 000011
【図１０】
2007295219.tif 000012